【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
統合資産保全性管理システム（ＩＡＩＭＳ）であって、
対応する複数の資産に関連付けられる複数の資産情報識別子と、
前記複数の資産情報識別子を読み取る読取デバイスを備える移動体通信デバイスと、
前記移動体通信デバイスと電子通信を行うサーバであって、前記資産情報識別子に対応する追跡システム・データを含む追跡システム・データベース、および前記資産の実績に関係するデータを含む実績データベースを有するデータベース構造を含む、サーバとを備え、前記移動体通信デバイスが、資産情報識別子から読み取られた資産情報を前記サーバに送信するように構成され、当該ＩＡＩＭＳが、
前記読み取られた資産情報識別子に対応する資産を特定し、前記データベース構造内のデータに基づいて、前記読み取られた資産情報識別子に対応する何れの前記資産の資産保全性問題を判断するように構成される電子プロセッサと、
前記追跡システム・データベースの追跡システム・データが、前記資産に関係する資産追跡および履歴情報における関連日付を含み、前記電子プロセッサが、前記保全性問題を判断するために、リアルタイムで受け取った実績データと前記追跡システム・データを統合し、
前記判断された保全性問題に関連付けられる指標を出力するように構成される出力デバイスと、を備える、ＩＡＩＭＳ。
【請求項２】
請求項１記載のＩＡＩＭＳにおいて、
前記資産情報識別子の各々が、資産に添付されるコード化されたタグを備え、
前記読取デバイスが、前記コード化されたタグを読み取るように構成されるスキャナを備える、ＩＡＩＭＳ。
【請求項３】
請求項１記載のＩＡＩＭＳにおいて、
前記資産情報識別子の各々が、資産に添付される認識指標を含み、
前記読取デバイスが撮像デバイスを備え、前記認識指標に関連付けられた資産を特定するために、前記認識指標の画像をキャプチャするように構成される、ＩＡＩＭＳ。
【請求項４】
請求項１記載のＩＡＩＭＳにおいて、
前記読取デバイスが、資産の画像をキャプチャするように構成され、
前記電子プロセッサが、前記キャプチャされた画像に関連付けられた前記資産を特定するために、物体認識を実行するように構成される、ＩＡＩＭＳ。
【請求項５】
請求項１から４の何れか一項記載のＩＡＩＭＳにおいて、
前記移動体通信デバイスが、更に、該移動体通信デバイスの位置に関する位置データを発生する位置デバイスを備え、
前記移動体通信デバイスが、前記位置データを前記サーバに送信するように構成され、
前記電子プロセッサが、前記位置データに少なくとも部分的に基づいて、前記読み取られた資産情報識別子に対応する資産を特定する、ＩＡＩＭＳ。
【請求項６】
請求項１から５の何れか一項記載のＩＡＩＭＳであって、更に、前記読み取られた資産情報識別子に対応する前記資産に関係する実績パラメータを感知する少なくとも１つのセンサを備え、
前記実績データが、前記少なくとも１つのセンサによって収集されるセンサ・データを含む、ＩＡＩＭＳ。
【請求項７】
請求項６記載のＩＡＩＭＳにおいて、前記センサ・データが前記サーバに送信され、前記実績データベースに格納される、ＩＡＩＭＳ。
【請求項８】
請求項６または７記載のＩＡＩＭＳであって、更に、前記移動体通信デバイスと無線通信を行う中央通信コントローラを備え、前記センサ・データが前記中央通信コントローラに送信され、センサ・データベースに格納される、ＩＡＩＭＳ。
【請求項９】
前記実績データベースが老朽化データベースを含む、請求項１から８の何れか一項記載のＩＡＩＭＳ。
【請求項１０】
請求項１から９の何れか一項記載のＩＡＩＭＳにおいて、
前記電子プロセッサが、更に、前記判断した資産保全性問題に対処するリコメンデーションを発生するように構成され、
前記出力デバイスが、更に、前記リコメンデーションを出力するように構成される、ＩＡＩＭＳ。
【請求項１１】
資産保全性問題を管理する方法であって、
少なくとも１つの資産を特定するステップと、
前記特定された少なくとも１つの資産についての追跡システム・データにアクセスするステップであって、前記追跡システム・データが前記資産に関係する資産追跡および履歴情報における関連日付を含むステップと、
前記特定された少なくとも１つの資産についての実績データを受け取るステップと、
何れかの保全性問題が前記特定された少なくとも１つの資産について存在するかを、前記アクセスおよび前記受け取ったデータに基づいて判断するステップであって、前記保全性問題を判断するために、リアルタイムで受け取った実績データと前記追跡システム・データを統合することによる、ステップと、
判断された保全性問題についての情報を、移動体通信デバイスに出力するステップと、
を含む、方法。
【請求項１２】
請求項１１記載の方法であって、更に、
前記判断された資産保全性問題に対処するためのリコメンデーションを発生するステップと、
前記移動体通信デバイスに前記リコメンデーションを出力するステップと、
を含む、方法。
【請求項１３】
請求項１１または１２記載の方法であって、更に、
第１フレームにおいて複数の資産を特定するステップと、
何れかの保全性問題が前記第１フレームにおいて前記特定された複数の資産について存在するかを判断するステップと、
前記第１フレームにおいて前記複数の資産について判断された保全性問題についての第１指標を前記移動体通信デバイスに出力するステップであって、前記第１指標が、前記第１フレームの資産における保全性問題についての一般化された指標である、ステップと、
第２フレームにおいて少なくとも１つの資産を特定するステップであって、前記第２フレームが、前記第１フレームのサブセットであるより狭いフレームである、ステップと、
何れかの保全性問題が前記第２フレームにおいて前記特定された少なくとも１つの資産について存在するかを判断するステップと、
前記第２フレームにおいて少なくとも１つの資産について判断された保全性問題についての第２指標を前記移動体通信デバイスに出力するステップと、
を含む、方法。
【請求項１４】
請求項１３記載の方法であって、更に、ドリル・ダウン技術を実行することにより、請求項１３記載のステップが、保全性問題が特定の資産について特定されるまで、連続的にフレームを狭めるように繰り返される、方法。
【請求項１５】
請求項１１から１４の何れか一項記載の方法において、前記特定するステップが、コード化されたタグを資産に固定するステップと、前記移動体通信デバイスのスキャナを用いて前記コード化されたタグをスキャンするステップと、を含む、方法。
【請求項１６】
請求項１１から１５の何れか一項記載の方法において、前記特定するステップが、認識インジケータを資産に固定するステップと、前記認識インジケータに関連付けられる前記資産を特定するために、前記移動体通信デバイスの撮像デバイスを用いて前記認識インジケータの画像をキャプチャするステップと、を含む、方法。
【請求項１７】
請求項１１から１６の何れか一項記載の方法において、前記特定するステップが、前記移動体通信デバイスの撮像デバイスを用いて資産の画像をキャプチャするステップと、前記キャプチャされた画像に関連付けられる資産を特定するために物体認識を実行するステップと、を含む、方法。
【請求項１８】
請求項１１から１７の何れか一項記載の方法において、前記実績データが、前記特定された複数の資産に関係する実績パラメータを感知するための少なくとも１つのセンサによって収集されるセンサ・データを含む、方法。
【請求項１９】
前記実績データが老朽化データを含む、請求項１１から１８の何れか一項記載の方法。
【請求項２０】
実行可能なプログラム・コードを格納する非一時的コンピュータ可読媒体であって、電子デバイスによって実施されると、
少なくとも１つの資産を特定するステップと、
前記特定された少なくとも１つの資産についての追跡システム・データにアクセスするステップであって、前記追跡システム・データが前記資産に関係する資産追跡および履歴情報における関連日付を含み、と、
前記特定された少なくとも１つの資産についての実績データを受け取るステップと、
何れかの保全性問題が前記特定された少なくとも１つの資産について存在するかを、前記アクセスおよび前記受け取ったデータに基づいて判断するステップであって、前記保全性問題を判断するために、リアルタイムで受け取った実績データと前記追跡システム・データを統合することによる、ステップと、
判断された保全性問題についての情報を、移動体通信デバイスに出力するステップと、
を実行するように構成される、非一時的コンピュータ可読媒体。